(57)【要約】【課題】情報漏洩の可能性を最小限にとどめることのできる配布物印刷方法を提供すること。【解決手段】第１のデータベースから配布対象となる文書データを取得する文書データ取得手順と、上記文書の配布先情報を第２のデータベースから取得する配布先情報取得手順と、上記配布先情報取得手順によって取得された配布先情報に基づいて、配布先ごとに、上記文書データに設定された少なくとも一つの隠蔽対象領域に対する隠蔽の要否を決定する隠蔽領域情報処理手順と、上記配布先情報取得手順によって取得された配布先情報を前記文書データに追加し、且つ、上記隠蔽領域情報処理手順によって隠蔽が必要であると決定された場合に上記隠蔽対象領域を隠蔽する処理を上記文書データに施した印刷データを、上記配布先ごとに生成する印刷データ生成手順と、上記印刷データ生成手順によって生成された印刷データを印刷する印刷手順と、を含む配布物印刷方法を提供する。【選択図】        図４
2010134653.tif 000002
【特許請求の範囲】
【請求項１】
配布対象となる文書を印刷する装置で実行される配布物印刷方法であって、
第１のデータベースから配布対象となる文書データを取得する文書データ取得手順と、
前記文書の配布先に関する配布先情報を第２のデータベースから取得する配布先情報取得手順と、
前記配布先情報取得手順によって取得された配布先情報に基づいて、配布先ごとに、前記文書データに設定された少なくとも一つの隠蔽対象領域に対する隠蔽の要否を決定する隠蔽領域情報処理手順と、
前記配布先情報取得手順によって取得された配布先情報を前記文書データに追加し、且つ、前記隠蔽領域情報処理手順によって隠蔽が必要であると決定された場合に前記隠蔽対象領域を隠蔽する処理を前記文書データに施した印刷データを、前記配布先ごとに生成する印刷データ生成手順と、
前記印刷データ生成手順によって生成された印刷データを印刷する印刷手順と、
を含むことを特徴とする配布物印刷方法。
【請求項２】
前記隠蔽領域情報処理手順は、さらに、前記隠蔽対象領域と置換される隠蔽領域パターンを決定する処理を行い、
前記印刷データ生成手順は、前記隠蔽領域情報処理手順によって隠蔽が必要であると決定された場合に前記隠蔽対象領域を前記隠蔽領域パターンで置換する処理を前記文書データに施すことを特徴とする請求項１に記載の配布物印刷方法。
【請求項３】
前記隠蔽領域パターンは塗りつぶしパターンであることを特徴とする請求項２に記載の配布物印刷方法。
【請求項４】
前記隠蔽領域パターンは白抜きパターンであることを特徴とする請求項２に記載の配布物印刷方法。
【請求項５】
前記隠蔽領域パターンは前記隠蔽対象領域の情報とは異なる文字又は記号であることを特徴とする請求項２に記載の配布物印刷方法。
【請求項６】
前記配布先情報は、配布先ごとの権限情報と、前記文書データの複数の隠蔽対象領域のそれぞれに関連付けられたセキュリティレベル情報とを含み、
前記隠蔽領域情報処理手順は、前記権限情報および前記セキュリティレベルに基づいて、前記隠蔽対象領域ごとに隠蔽の要否を決定することを特徴とする請求項１〜５のいずれか一つに記載の配布物印刷方法。
【請求項７】
前記文書の配布元に関する配布元情報を取得する配布元情報取得手順をさらに含み、
前記印刷データ生成手順は、前記印刷データを生成するに際し、さらに、前記配布元情報取得手順によって取得された配布元情報を前記文書データに追加することを特徴とする請求項１〜６のいずれか一つに記載の配布物印刷方法。
【請求項８】
前記配布先情報取得手順により取得した前記配布先情報に基づいて、全ての配布先を一覧可能にした管理表データを生成する管理表データ生成手順をさらに含むことを特徴とする請求項１〜７のいずれか一つに記載の配布物印刷方法。
【請求項９】
配布対象となる文書を印刷する配布物印刷装置であって、
第１のデータベースから配布対象となる文書データを取得する文書データ取得手段と、
前記文書の配布先に関する配布先情報を第２のデータベースから取得する配布先情報取得手段と、
前記配布先情報に基づいて、配布先ごとに、前記文書データに設定された少なくとも一つの隠蔽対象領域に対する隠蔽の要否を決定する隠蔽領域情報処理手段と、
前記配布先情報を前記文書データに追加し、且つ、前記隠蔽領域情報処理手段において隠蔽が必要であると決定された場合に前記隠蔽対象領域を隠蔽する処理を前記文書データに施した印刷データを、前記配布先ごとに生成する印刷データ生成手段と、
を備えることを特徴とする配布物印刷装置。
【請求項１０】
前記隠蔽領域情報処理手段は、さらに、前記隠蔽対象領域と置換される隠蔽領域パターンを決定する処理を行い、
前記印刷データ生成手段は、前記隠蔽領域情報処理手段において隠蔽が必要であると決定された場合に前記隠蔽対象領域を前記隠蔽領域パターンで置換する処理を前記文書データに施すことを特徴とする請求項９に記載の配布物印刷装置。
【請求項１１】
前記隠蔽領域パターンは塗りつぶしパターンであることを特徴とする請求項１０に記載の配布物印刷装置。
【請求項１２】
前記隠蔽領域パターンは白抜きパターンであることを特徴とする請求項１０に記載の配布物印刷装置。
【請求項１３】
前記隠蔽領域パターンが前記隠蔽対象領域の情報とは異なる文字又は記号であることを特徴とする請求項１０に記載の配布物印刷装置。
【請求項１４】
前記配布先情報は、配布先ごとの権限情報と、前記文書データの複数の隠蔽対象領域のそれぞれに関連付けられたセキュリティレベル情報とを含み、
前記権限情報および前記セキュリティレベルに基づいて、前記隠蔽対象領域ごとに隠蔽の要否を決定する判定手段を含むことを特徴とする請求項９〜１３のいずれか一つに記載の配布物印刷装置。
【請求項１５】
前記文書の配布元に関する配布元情報を取得する配布元情報取得手段をさらに含み、
前記印刷データ生成手段は、前記印刷データを生成するに際し、さらに、前記配布元情報を前記文書データに追加することを特徴とする請求項９〜１４のいずれか一つに記載の配布物印刷装置。
【請求項１６】
前記配布先情報に基づいて、全ての配布先を一覧可能にした管理表データを生成する管理表データ生成手段をさらに備えることを特徴とする請求項９〜１５のいずれか一つに記載の配布物印刷装置。
【請求項１７】
請求項１〜８に記載の配布物印刷方法をコンピュータに実行させるための配布物印刷プログラム。
【発明の詳細な説明】
【技術分野】
【０００１】
本発明は、配布物印刷方法、配布物印刷装置及び配布物印刷プログラムに関し、特に、配布物に含まれる機密情報を管理することができる配布物印刷方法、配布物印刷装置及び配布物印刷プログラムに関する。
【背景技術】
【０００２】
近年、様々な分野で情報のデジタル化が進行し、文書の作成や配布においても電子的に行うことが多くなっている。しかしながら、印刷文書は、読みやすい、書き込みが容易、一覧性がある、持ち運びが容易などの特長を有するため、会議等では、配布資料として印刷文書が多用されている。しかし、会議等で使用される配布資料には、企業にとって秘匿すべき機密情報が含まれている場合も多々あり、パスワード等による認証及び暗号化が可能なデジタル文書に比べて、機密情報の保護が難しくなるため、印刷された配布物に含まれる機密情報を保護するための方策が必要となる。
【０００３】
そこで、印刷された文書からの機密情報の漏洩を防止するための種々の方法が提案されている。例えば、機密情報が印刷された紙媒体を複写しようとした際、特定のパターンが付された紙媒体を機密情報と判断し、複写禁止制御を行う方法が提案されている。しかし、この方法では紙媒体に対して、複写などの何らかの機械的処理を施す際に初めて情報漏洩を防止できるに過ぎず、紙媒体自体が持ち出された場合には、何ら対策を講じることができない。また、従来では、配布資料において、一部ずつに固有の番号を付し（ナンバリング）、その付された番号と配布先（受取人）とを関連付けて記録しておくようにすることで管理を行っている。しかしながらこの方法は非常に手間がかかる。例えば、数十ページを有するような資料に対して全ページのナンバリングを行うことは現実的ではなく、１ページ目のみのナンバリングで対処せざるを得ない。また、ナンバリングした番号と配布先を記録する際に内容の不一致が発生する虞がある。
【０００４】
このような背景において、例えば、特許文献１は、配布先情報を取得して配布資料に配布先文字情報を付加して印刷を行う、あるいは配布先情報を文書データと共に保持し配布資料に配布先識別情報を付加して印刷するという方法を提案している。また、特許文献２は、文書中の秘匿すべき領域を閲覧不可能な状態に処理して出力する方法について提案している。
【０００５】
【特許文献１】特開平８−２４１３０９号公報
【特許文献２】特開２００８−６５５５０号公報
【発明の開示】
【発明が解決しようとする課題】
【０００６】
しかしながら、特許文献１による方法によれば、識別情報を付加しての印刷が可能となるものの、セキュリティ対策がなされておらず情報漏洩が発生した場合、対応が困難となる。即ち、特許文献１では、情報漏洩に対する抑止効果は期待できるものの、情報漏洩を完全に防止することはできない。また、特許文献２による方法は、配付資料を電子的に送信することを前提としているため、送信先ごとに適切に文書を作成して送信すればよいだけであるが、これを印刷するとなると異なる内容の文書が複数印刷され、配布先との対応がつかなくなる。即ち、特許文献２では、情報漏洩リスクに配慮した機密性の高い印刷物を作成することができるが、資料として配布する際にさらなる対策が必要となる。
【０００７】
本発明は上記に鑑みてなされたものであって、配布物にその配布先を特定できる情報を印刷すると共にその配布先の権限に応じた必要最小限の情報のみを提供することで、情報漏洩の可能性を最小限にとどめることのできる配布物印刷方法、配布物印刷装置及び配布物印刷プログラムを提供することを目的とする。
【課題を解決するための手段】
【０００８】
上述した課題を解決し、目的を達成するために、本発明にかかる配布物印刷方法は、配布対象となる文書を印刷する装置で実行される配布物印刷方法であって、第１のデータベースから配布対象となる文書データを取得する文書データ取得手順と、前記文書の配布先に関する配布先情報を第２のデータベースから取得する配布先情報取得手順と、前記配布先情報取得手順によって取得された配布先情報に基づいて、配布先ごとに、前記文書データに設定された少なくとも一つの隠蔽対象領域に対する隠蔽の要否を決定する隠蔽領域情報処理手順と、前記配布先情報取得手順によって取得された配布先情報を前記文書データに追加し、且つ、前記隠蔽領域情報処理手順によって隠蔽が必要であると決定された場合に前記隠蔽対象領域を隠蔽する処理を前記文書データに施した印刷データを、前記配布先ごとに生成する印刷データ生成手順と、前記印刷データ生成手順によって生成された印刷データを印刷する印刷手順と、を含む。
【０００９】
また、本発明にかかる印刷物配布装置は、配布対象となる文書を印刷する配布物印刷装置であって、第１のデータベースから配布対象となる文書データを取得する文書データ取得手段と、前記文書の配布先に関する配布先情報を第２のデータベースから取得する配布先情報取得手段と、前記配布先情報に基づいて、配布先ごとに、前記文書データに設定された少なくとも一つの隠蔽対象領域に対する隠蔽の要否を決定する隠蔽領域情報処理手段と、前記配布先情報を前記文書データに追加し、且つ、前記隠蔽領域情報処理手段において隠蔽が必要であると決定された場合に前記隠蔽対象領域を隠蔽する処理を前記文書データに施した印刷データを、前記配布先ごとに生成する印刷データ生成手段と、を備える。
【発明の効果】
【００１０】
本発明によれば、会議等における配布物に配布先情報が所定の箇所に印刷され且つ機密性の高い情報が記載された領域に隠蔽処理が施された文書を配布先ごとに印刷することができるので、印刷された配布資料の機密性を高めた文書管理が可能となり、また、印刷物による情報漏洩を抑止する効果を奏する。
【００１１】
また、本発明によれば、アプリケーションで作成された文書に隠蔽対象領域を設定し、配布先権限及び領域セキュリティレベルを隠蔽対象領域に適用させることによって、機密性管理を容易化することができるという効果を奏する。
【発明を実施するための最良の形態】
【００１２】
以下に添付図面を参照して、この発明にかかる配布物印刷方法、配布物印刷装置および配布物印刷プログラムの最良な実施の形態を詳細に説明する。
【００１３】
（第１の実施の形態）
本実施の形態では、会議等で使用する資料を紙等の媒体に印刷して配布する際の機密情報の管理を適切に行うための配布物の印刷方法について詳細に説明する。ここでは、会議の開催スケジュール、その議事録及びその他の資料等の会議情報が、グループウェアによって管理されているものとする。具体的には、会議の参加者は予め決定されており、資料の配布元は、参加者の氏名及び所属等の情報を、グループウェアを通じて容易に取得することが可能である。
【００１４】
図１は、本発明の実施の形態１にかかる配布物印刷方法を実行する配布物印刷装置の構成を概略的に示すブロック図である。図１に示すように、配布物印刷装置１００は、文書データ取得部１０１と、文書データベース（ＤＢ）１０２と、入力部１０３と、配布先テーブル取得部１０４と、ユーザ情報データベース（ＤＢ）１０５と、隠蔽領域情報処理部１０６と、印刷データ生成部１０９と、印刷部１１０とを備える。
【００１５】
文書データ取得部１０１は、文書ＤＢ１０２に蓄積された文書を取得する。文書ＤＢ１０２は、ＬＡＮやインターネットを介して配布物印刷装置１００と接続されたサーバ内で構築されており、グループウェアにより管理されている。文書ＤＢ１０２内に蓄積された文書は、例えば、グループウェアの機能あるいは他のアプリケーションソフトウェアを用いて作成され、グループウェアによって管理されている文書である。
【００１６】
配布先テーブル取得部１０４は、登録された会議の出席者等の情報が記録された配布先テーブルをユーザ情報ＤＢ１０５から取得する。このユーザ情報ＤＢ１０５もまたグループウェアにより管理されている。配布先テーブルは、入力部１０３を操作することで、グループウェアに登録された会議情報から取得でき、追加または変更することもできる。図２に、配布先テーブルの例を示す。配布先テーブルに挙げられた配布先は、グループウェアによって登録された会議の出席者を表し、配布先テーブルは、会議の登録時に作成される。なお、図２の配布先テーブルには、フィールドとして、「配布先番号」、「所属」、「氏名」、「隠蔽対象領域の処理」が含まれているが、他の項目のフィールドを追加することもできる。以下においては、配布先テーブルの一行分の内容、すなわち、各配布先に対する情報を配布先情報と称する。
【００１７】
隠蔽領域情報処理部１０６は、配布先テーブル取得部１０４が取得した配布先テーブルの「隠蔽対象領域の処理」の内容を取得する。この隠蔽対象領域の処理は、会議等の情報がグループウェアに登録された際に設定された処理内容でもよいし、入力部１０３によって新たに入力されてもよい。また、隠蔽領域情報処理部１０６は、隠蔽対象領域の隠蔽パターンを入力部１０３により決定することができる。
【００１８】
印刷データ生成部１０９は、文書データ取得部１０１が取得した文書と、配布先テーブル取得部１０４が取得した配布先情報と、隠蔽領域情報処理部１０６が取得した隠蔽領域情報とを用いて、例えば、文書に配布先を示す所属や氏名が挿入され、隠蔽領域が隠蔽された印刷データを生成する。ここで、隠蔽情報とは、配布先情報のうちの「隠蔽対象領域の処理」の内容と、隠蔽対象領域の隠蔽パターンに関する情報とを含む。隠蔽領域パターンの詳細については後述する。印刷部１１０は、印刷データ生成部１０９で生成された印刷データに基づいて印刷を行う。
【００１９】
図３は、隠蔽領域を含んだ配布物印刷文書の一例を示す。図３の文書中、「領域Ｘ」（Ｘ＝１〜３）と表示された部分が隠蔽対象の領域であり、これらの領域に対して隠蔽するか否かの設定が可能である。配布先テーブル取得部１０４で取得した配布先情報は、文書の差し込み領域に取り込まれる。差し込み領域とは、文書のヘッダ部分またはフッタ部分、あるいは、地紋印刷の隠し文字列が挿入される部分を指す。
【００２０】
図４は、第１の実施の形態における配布物印刷方法のフローチャートを示す。以下、フローチャートに基づく配布物印刷方法の手順を詳細に説明する。
【００２１】
まず、操作者が、入力部１０３等を用いて、対象の会議において配布しようとしている印刷対象文書を選択する。これに応じて、文書データ取得部１０１は、選択された文書を文書ＤＢ１０２から取得する（ステップＳ１０１）。続いて、配布先テーブル取得部１０４が、該会議に関連付けられた配布先テーブルを取得する（ステップＳ１０２）。次に、取得した配布先テーブルの先頭の行を処理対象として設定する（ステップＳ１０３）。処理対象である配布先情報の「隠蔽対象領域の処理」フィールドが「隠蔽する」に設定されている場合は（ステップＳ１０４，Ｙｅｓ）、隠蔽情報と処理対象である配布先情報の「所属」や「氏名」等とに基づいて、印刷データ生成部１０９にて印刷データを生成する（ステップＳ１０５）。
【００２２】
一方、「隠蔽対象領域の処理」フィールドが「隠蔽しない」に設定されている場合は（ステップＳ１０４，Ｎｏ）、「所属」や「氏名」等の配布先情報に基づいて印刷データ生成部１０９にて印刷データが生成される（ステップＳ１０７）。印刷データの具体的な生成手順については、後述する。生成された印刷データは、一部ずつ印刷部１１０によって印刷用紙等の媒体に印刷される（ステップＳ１０６）。次に、処理対象が配布先テーブルの最後の行であるか否かを判断し、配布先テーブルの最後の行でなければ（ステップＳ１０８，Ｎｏ）、配布先テーブルの次の行を処理対象に設定する（ステップＳ１０９）。ステップＳ１０８において、処理対象が配布先テーブルの最後の行であれば、配布物印刷方法にかかる一連の処理を終了する（ステップＳ１０８，Ｙｅｓ）。
【００２３】
ここで、上述した隠蔽領域パターンについて詳細に説明する。「隠蔽対象領域の処理」フィールドの「隠蔽する」とは、隠蔽対象領域を所定の隠蔽領域パターンで表すことを意味する。その隠蔽領域パターンとして、例えば図５−１〜図５−３に示されるパターンを用いることができる。図５−１は、印刷対象文書内の隠蔽対象領域を黒塗りの矩形で表した例である。この例の類として他にも、隠蔽対象領域の文字列が見えないように覆われていれば文字色と同色で塗りつぶされた矩形や他の図形、濃淡のある多値画像等が挙げられる。図５−２は、印刷対象文書内の隠蔽対象領域を白抜きの矩形で表した例である。この例の類として他にも、単に、隠蔽対象領域の文字列をスペースで置換することが挙げられる。図５−３は、印刷対象文書内の隠蔽対象領域の文字列を別の文字列で置換した例である。図５−３では、隠蔽対象領域を「＊＊＊」で置換した例を示したが、他の記号、文字、数字の配列であってもよい。なお、隠蔽領域パターンの作成や選択は、配布物印刷装置１００の初期設定の一項目に含めてもよいし、図４に示すフローチャートの任意のステップの後（例えば、ステップＳ１０４のＹＥＳ分岐の後）に行えるようにしてもよい。
【００２４】
次に、印刷データの生成について詳細に説明する。印刷データ生成部１０９は、具体的には、隠蔽対象領域を「隠蔽する」必要がある配布先に対しては、文書データ取得部１０１が取得した印刷対象文書内の各隠蔽対象領域の文字列を上記したような隠蔽領域パターンに置き換え、さらに、所属や氏名等の配布先情報を文書の各ページのヘッダ部分またはフッタ部分に挿入するか若しくは地紋印刷の隠し文字列で任意の部分に挿入した印刷データを新たに生成する。一方、印刷データ生成部１０９は、隠蔽対象領域を「隠蔽しない」配布先に対しては、上記した隠蔽領域パターンの置換処理は行わずに、上記したように配布先情報の挿入のみを行った印刷データを新たに生成する。
【００２５】
上述したように、第１の実施の形態によれば、夫々の配布先に関する情報を同文書中に印刷することができるとともに、配布物の内容を配布先に応じた最小限の情報にとどめて印刷することができる。
【００２６】
（第２の実施の形態）
上述した第１の実施の形態では、印刷対象文書内のすべての隠蔽対象領域を「隠蔽する」か「隠蔽しない」かの選択のみが可能であったが、第２の実施の形態では、隠蔽対象領域のそれぞれに領域セキュリティレベルを設定しておき、さらに、配布先にも権限レベルを設定しておき、それらの設定内容の組み合わせに応じて、隠蔽対象領域ごとに「隠蔽する」か「隠蔽しない」かの選択を可能にしたことを特徴とする。
【００２７】
図６は、本発明の第２の実施の形態にかかる配布物印刷方法を実行する配布物印刷装置の構成を概略的に示すブロック図である。図６に示すように、配布物印刷装置２００は、文書データ取得部２０１と、文書ＤＢ２０２と、入力部２０３と、配布先テーブル取得部２０４と、ユーザ情報ＤＢ２０５と、隠蔽領域情報処理部２０６と、判定部２０７と、印刷データ生成部２０９と、印刷部２１０とを備える。ここで、文書データ取得部２０１と、文書ＤＢ２０２と、印刷データ生成部２０９と、印刷部２１０とは、図１に示した文書データ取得部１０１と、文書ＤＢ１０２と、印刷データ生成部１０９と、印刷部１１０とにそれぞれ対応し、同じ役割を担うものであるので、それらの説明を省略する。
【００２８】
配布先テーブル取得部２０４は、登録された会議の出席者等の情報が記録された配布先テーブルをユーザ情報ＤＢ２０５から取得する。なお、この配布先テーブルもまた、入力部２０３を操作することで、グループウェアに登録された会議情報から取得でき、適宜、追加または変更することもできる。図７は、第２の実施の形態における配布物印刷方法で用いられる配布先テーブルを示す図である。この配布先テーブルは、図２に示された配布先テーブルの「隠蔽対象領域の処理」フィールドを「権限レベル」フィールドに置換した内容である。なお、この配布先テーブルは、他の項目のフィールドを含んでいてもよい。
【００２９】
隠蔽領域情報処理部２０６は、配布先テーブルの「権限レベル」の内容を配布先テーブル取得部２０４から取得する。この権限レベルは、予めグループウェアに登録されていたレベル、または会議等が登録された際に設定されたレベルであってもよく、入力部２０３によって新たに入力されてもよい。
【００３０】
判定部２０７は、図７に示した配布先テーブルと、図８に示す領域セキュリティレベルテーブルと、図９に示す印刷可否判定テーブルとに基づいて、隠蔽対象領域を隠蔽するか否かの判定を行う。
【００３１】
図７に示した配布先テーブルでは、配布先の権限レベルの一例として、権限レベルを３段階に設定し、レベル１を低レベル、レベル２を中レベル、レベル３を高レベルと定義するものとする。
【００３２】
領域セキュリティレベルテーブルは、印刷対象文書内で設定された各隠蔽対象領域に対してセキュリティレベルを関連付けたテーブルである。図８では、セキュリティレベルの一例として、レベルを３段階に設定し、レベル１を低レベル、レベル２を中レベル、レベル３を高レベルと定義するものとする。この領域セキュリティレベルテーブルは、文書の作成時に設定されその文書と共に文書ＤＢ２０２に格納されてもよいし、必要に応じて入力部２０３から入力されてもよい。
【００３３】
印刷可否判定テーブルは、領域セキュリティレベルテーブルの各セキュリティレベルと配布先に応じて設定された権限レベルとの組み合わせごとに異なる隠蔽領域情報の処理を表すテーブルである。換言すれば、この印刷可否判定テーブルは、配布先テーブルと領域セキュリティレベルテーブルとを参照することによって、各隠蔽対象領域に対して配布先ごとに隠蔽の可否を判定することを可能としたものである。図９では、配布先の権限レベルの一例として、権限レベルを３段階に設定し、レベル１を低レベル、レベル２を中レベル、レベル３を高レベルと定義するものとする。このように、隠蔽対象領域に対する隠蔽が多様な情報から決定されているので、情報の隠蔽を必要最小限に抑えることができる。これは、換言すれば、配布物に対する高機密性を確保しつつ、会議の進行に支障がない程度に情報を開示することができることを意味する。
【００３４】
図１０及び図１１に、第２の実施の形態による配布物印刷方法のフローチャートを示す。図１０は、第２の実施の形態における配布物印刷方法のフローチャートを示す。図１１は、図１０で示した配布物印刷方法の隠蔽処理及び印刷データ生成処理の具体的な手順を示す。以下、フローチャートに基づく実施の手順をステップごとに詳細に説明する。
【００３５】
まず、操作者が、入力部２０３等を用いて、対象の会議において配布しようとしている印刷対象文書を選択する。これに応じて、文書データ取得部２０１は、選択された文書を文書ＤＢ２０２から取得する（ステップＳ２０１）。続いて、配布先テーブル取得部２０４が、該会議に関連付けられた配布先テーブルを取得する（ステップＳ２０２）。次に、配布先テーブルの先頭の行を処理対象として設定する（ステップＳ２０３）。次に、後述する隠蔽処理及び印刷データ生成処理を実行する（ステップＳ２０４）。ステップＳ２０４で生成された印刷データは、一部ずつ印刷部２１０によって印刷用紙等の媒体に印刷される（ステップＳ２０５）。次に、処理対象が配布先テーブルの最後の行であるか否かを判断し、配布先テーブルの最後の行でなければ（ステップＳ２０６，Ｎｏ）、配布先テーブルの次の行を処理対象に設定する（ステップＳ２０７）。ステップＳ２０６において、処理対象が、配布先テーブルの最後の行であれば、配布物印刷方法にかかる一連の処理を終了する（ステップＳ２０６，Ｙｅｓ）。
【００３６】
図１１に示す隠蔽処理及び印刷データ生成処理は、図９の印刷可否判定テーブルに基づいて行われる。まず、配布先テーブルの先頭の行の処理が開始されると、該処理対象の「権限レベル」フィールドが３を示しているか否かが判断され、権限レベルが３でない場合は（ステップＳ２１１、Ｎｏ）、隠蔽対象領域ごとのセキュリティレベルに基づく判断がなされる。そして、印刷対象文書内の隠蔽対象領域のうち、先頭に位置する隠蔽対象領域を処理対象に設定する（ステップＳ２１２）。
【００３７】
続いて、領域セキュリティレベルテーブルを参照して、処理対象の隠蔽対象領域のセキュリティレベルが３に設定されているか否かの判断がなされ、セキュリティレベルが３であれば（ステップＳ２１３，Ｙｅｓ）、当該隠蔽対象領域を隠蔽する（ステップＳ２１６）。一方、セキュリティレベルが３でない場合（ステップＳ２１３，Ｎｏ）、該隠蔽対象領域のセキュリティレベルが２であり且つ配布先の権限レベルが２であるか否かが判断され、その判断が肯定であれば（ステップＳ２１４，Ｙｅｓ）、当該隠蔽対象領域を隠蔽しない（ステップＳ２１７）。一方、ステップＳ２１４の判断が否定であれば（ステップＳ２１４，Ｎｏ）、次に該隠蔽対象領域のセキュリティレベルが１であり且つ配布先の権限レベルが１または２であるか否かが判断される（ステップＳ２１５）。ステップＳ２１５の判断が肯定であれば（ステップＳ２１５，Ｙｅｓ）、当該隠蔽対象領域を隠蔽しない（ステップＳ２１７）。一方、ステップＳ２１４の判断が否定であれば（ステップＳ２１５，Ｎｏ）、当該隠蔽対象領域を隠蔽する（ステップＳ２１６）。
【００３８】
次に、印刷対象文書内の全ての隠蔽対象領域に対する隠蔽の判定が終了したか否かが判断される（ステップＳ２１８）。全ての隠蔽対象領域に対する隠蔽の判定が終了した場合には（ステップＳ２１８，Ｙｅｓ）、隠蔽情報と処理対象である配布先情報の「所属」や「氏名」等とに基づいて印刷データが生成され（ステップＳ２２０）、隠蔽処理及び印刷データ生成処理を終了する。ここで、隠蔽情報とは、印刷可否判定テーブルの内容（すなわち「隠蔽する」または「隠蔽しない」）と、第１の実施の形態で説明したような隠蔽パターンに関する情報とを含む。
【００３９】
一方、全ての隠蔽対象領域に対する隠蔽の判定が終了していない場合には（ステップＳ２１８，Ｎｏ）、印刷対象文書内の隠蔽対象領域のうち次に位置する隠蔽対象領域を処理対象に設定し（ステップＳ２１９）、ステップＳ２１３以降の処理を繰り返す。
【００４０】
ステップＳ２１１において、処理対象の配布先情報の「権限レベル」フィールドが３を示している場合には（ステップＳ２１１，Ｙｅｓ）、全ての隠蔽対象領域を隠蔽しない（ステップＳ２２１）。そして、処理対象である配布先情報の「所属」や「氏名」等に基づいて印刷データが生成され（ステップＳ２２２）、隠蔽処理及び印刷データ生成処理を終了する。
【００４１】
上述したように、第２の実施の形態によれば、隠蔽対象領域のそれぞれに設定されたセキュリティレベルと配布先の権限レベルとの組み合わせによって、配布先ごとに且つ隠蔽対象領域ごとに隠蔽の有無が判断されるので、高機密性を確保しつつ、会議の進行に支障がない程度に情報を開示した配布物を提供することができる。
【００４２】
（第３の実施の形態）
本実施の形態は、先の実施の形態で述べた印刷方法において、さらに配布元である印刷者の情報も併せて印刷することを特徴とする。
【００４３】
図１２は、本発明の第３の実施の形態にかかる配布物印刷方法を実行する配布物印刷装置の構成を概略的に示すブロック図である。図１２に示すように、配布物印刷装置３００は、文書データ取得部３０１と、文書ＤＢ３０２と、入力部３０３と、配布先テーブル取得部３０４と、ユーザ情報ＤＢ３０５と、隠蔽領域情報処理部３０６と、配布元情報取得部３０８と、印刷データ生成部３０９と、印刷部３１０とを備える。ここで、文書データ取得部３０１と、文書ＤＢ３０２と、印刷データ生成部３０９と、印刷部３１０とは、図１に示した文書データ取得部１０１と、文書ＤＢ１０２と、印刷データ生成部１０９と、印刷部１１０とにそれぞれ対応し、同じ役割を担うものであるので、それらの説明を省略する。
【００４４】
配布元情報取得部３０８は、ユーザ情報ＤＢ３０５に格納されているログインＩＤ等の印刷者情報を配布元情報として取得する。この配布元情報は、入力部３０３を用いて適宜、登録または変更できる。
【００４５】
図１２に第３の実施の形態による配布物印刷方法のフローチャートを示す。以下、フローチャートに基づく実施の手順をステップごとに詳細に説明する。なお、ここでは、第１の実施の形態にかかる配布物印刷方法に対して、本実施の形態の特徴である配布先情報の印刷をも可能にした例について説明する。
【００４６】
まず、操作者（印刷者）が、入力部３０３等を用いて、対象の会議において配布しようとしている印刷対象文書を選択する。これに応じて、文書データ取得部３０１は、選択された文書を文書ＤＢ３０２から取得する（ステップＳ３０１）。続いて、配布元テーブル取得部３０８が、操作者のログイン情報等による配布元情報を取得する（ステップＳ３０２）。配布元は、多くの場合印刷を指示した印刷者であるが、それは配布物印刷装置３００や上記グループウェアの利用に際して必要となるログイン情報から容易に特定することができる。
【００４７】
次に、配布先テーブル取得部３０４は、該会議に関連付けられた配布先テーブルを取得する（ステップＳ３０３）。続いて、配布先テーブルの先頭の行を処理対象として設定する（ステップＳ３０４）。処理対象である配布先情報の「隠蔽対象領域の処理」のフィールドが「隠蔽する」に設定されている場合は（ステップＳ３０５，Ｙｅｓ）、隠蔽情報と、処理対象である配布先情報の「所属」や「氏名」等と、ステップＳ３０２で取得した配布元情報とに基づいて、印刷データ生成部３０９にて印刷データを生成する（ステップＳ３０６）。ここで、当該配布先情報及び当該配布元情報は、共に、印刷対象文書の同じ領域に同様な手順で挿入されてもよいし、互いに異なる領域（例えば、ヘッダ部分とフッタ部分）に互いに異なる手順で挿入されてもよい。
【００４８】
一方、隠蔽対象領域の処理のフィールドが「隠蔽しない」に設定されている場合は（ステップＳ３０５，Ｎｏ）、配布元情報と「所属」や「氏名」等の配布先情報とに基づいて、印刷データ生成部３０９にて印刷データが生成される（ステップＳ３０７）。生成された印刷データは、一部ずつ印刷部３１０によって印刷用紙等の媒体に印刷される（ステップＳ３０８）。次に、処理対象が配布先テーブルの最後の行であるか否かを判断し、配布先テーブルの最後の行でなければ（ステップＳ３０９，Ｎｏ）、配布先テーブルの次の行を処理対象に設定する（ステップＳ３１０）。ステップＳ３０９において、配布先テーブルの最後の行であれば、配布物印刷方法にかかる一連の処理を終了する（ステップＳ３０９，Ｙｅｓ）。
【００４９】
以上のように第２の実施の形態によれば、第１の実施の形態に加えて配布元（印刷者）情報も付加して印刷を実行することにより、さらに情報漏洩の抑止効果の期待できる印刷物を生成することができる。
【００５０】
上述した第３の実施の形態は、第１の実施の形態にかかる配布物印刷方法に適用したものであるが、第２の実施の形態にかかる配布物印刷方法に対しても同様に適用することができる。
【００５１】
上述したように、第３の実施の形態によれば、配布物に対して、配布先情報のみではなく、配布物を印刷した者の情報を印字することによって、配布物の情報漏洩の抑止効果をさらに高めることができる。
【００５２】
（第４の実施の形態）
本実施の形態では、配布先の情報が印刷され且つ一部の領域が隠蔽された配布物の配布先を一覧することができ、且つ配布物の受け取り状況を確認することのできる配布資料管理表を作成することを特徴とする。
【００５３】
通常、配布物に配布先情報が印刷されることによって、配布資料の管理責任についての意識付けができ、これにより情報漏洩の抑止が期待される。しかしながら、実際に情報が漏洩した場合、印刷物に配布先が記載されているだけでは管理責任を追及することは困難である。作成された配布物が、配布元（印刷者）から配布先に渡ってはじめて配布先側に管理責任が生じるものであるが、配布物だけでは、当該配布物が配布前なのか配布後なのかは不明である。また、配布先の記載は誰でも容易にできるため、例えば、悪意者が偽造したり、陥れるために故意に配布物を作成したりすることも考えられる。
【００５４】
そこで、配布物を印刷する際に、図１４に例示した配布資料管理表を印刷し、配布物の配布時に、当該配布資料管理表に受け取り印あるいは受け取りサインを配布先から取得することで、配布物の管理責任が配布元から配布先へと移転されたことを明確にする。
【００５５】
図１５は、本発明の第４の実施の形態にかかる配布物印刷方法を実行する配布物印刷装置の構成を概略的に示すブロック図である。図１５に示すように、配布物印刷装置４００は、文書データ取得部４０１と、文書ＤＢ４０２と、入力部４０３と、配布先テーブル取得部４０４と、ユーザ情報ＤＢ４０５と、隠蔽領域情報処理部４０６と、印刷データ生成部４０９と、印刷部４１０、管理表データ生成部４１１とを備える。ここで、文書データ取得部４０１と、文書ＤＢ４０２と、印刷データ生成部４０９と、印刷部４１０とは、図１に示した文書データ取得部１０１と、文書ＤＢ１０２と、印刷データ生成部１０９と、印刷部１１０とにそれぞれ対応し、同じ役割を担うものであるので、それらの説明を省略する。
【００５６】
管理表データ生成部４１１は、配布先テーブルをそのまま用いてもよいし、配布先テーブルの情報に加えて、入力部２０３によっても適宜、更新または変更された情報を用いてもよい。
【００５７】
図１６は、第４の実施の形態における配布物印刷方法のフローチャートを示す。以下、フローチャートに基づく実施の手順をステップごとに詳細に説明する。なお、ここでは、第１の実施の形態にかかる配布物印刷方法に対して、本実施の形態の特徴である配布資料管理表の印刷をも可能にした例について説明する。
【００５８】
まず、操作者が、入力部４０３等を用いて、対象の会議において配布しようとしている印刷対支障文書を選択する。これに応じて、文書データ取得部４０１は、選択された文書を文書ＤＢ４０２から取得する（ステップＳ４０１）。続いて、配布先テーブル取得部４０４が、該会議に関連付けられた配布先テーブルを取得する（ステップＳ４０２）。次に、配布先テーブルの先頭の行を処理対象として設定する（ステップＳ４０３）。「隠蔽対象領域の処理」のフィールドが「隠蔽する」に設定されている場合は（ステップＳ４０４，Ｙｅｓ）、上述した隠蔽領域パターン等の隠蔽情報と、処理対象である配布先情報の「所属」や「氏名」等と、ステップＳ４０２で取得した配布先テーブルの配布先情報とに基づいて、印刷データ生成部４０９にて印刷データを生成する（ステップＳ４０５）。
【００５９】
一方、隠蔽対象領域の処理のフィールドが「隠蔽しない」に設定されている場合は（ステップＳ４０４，Ｎｏ）、「所属」や「氏名」等の配布先情報に基づいて印刷データ生成部４０９にて印刷データが生成される（ステップＳ４０６）。次に、生成された印刷データは、一部ずつ印刷部４１０によって印刷用紙等の媒体に印刷される（ステップＳ４０７）。次に、処理対象が配布先テーブルの最後の行であるか否かを判断し、配布先テーブルの最後の行でなければ（ステップＳ４０８，Ｎｏ）、配布先テーブルの次の行を処理対象に設定する（ステップＳ４０９）。ステップＳ４０８において、配布先テーブルの最後の行であれば（ステップＳ４０８，Ｙｅｓ）、管理表データ生成部４１１においてステップＳ４０２で取得した配布先テーブルに基づき、図１４に例示した配布資料管理表データが生成される（ステップＳ４１０）。そして、この生成された配布資料管理表データは印刷部４１０によって印刷用紙等の媒体に印刷される（ステップＳ４１１）。その後、配布物印刷方法にかかる一連の処理を終了する。
【００６０】
上述した第４の実施の形態は、第１の実施の形態にかかる配布物印刷方法に適用したものであるが、第２及び第３の実施の形態にかかる配布物印刷方法に対しても同様に適用することができる。
【００６１】
上述したように、第４の実施の形態によれば、先の実施の形態によって享受される効果に加え、配布物を印刷した際に、配布先を一覧することができ且つ配布物受け取り状況を確認することのできる配布資料管理表が共に印刷されるため、当該配布資料管理表に設けられた受け取り欄の記載に基づいて、配布物の管理責任の所在を明確なものとすることができる。
【００６２】
第１〜４の実施の形態では、文書内での隠蔽対象領域の識別について特に言及しなかったが、各実施の形態にかかる配布物印刷装置は、実際には、隠蔽対象領域を隠蔽パターンで置換する際に、文書内での隠蔽対象領域の識別が必要となる。以下に、その識別方法について例示する。
【００６３】
まずは、文書作成者が文書を作成する際に、文書内の秘匿情報として保護したい情報が示された領域を予め指定しておき、当該領域のセキュリティレベルについても予め設定する。これらの領域の位置情報やセキュリティレベル情報は、付属情報として文書内に保持することもでき、もしくは関連付けられた別ファイルに保存することもできる。
【００６４】
具体的には、文書作成支援アプリケーションソフトウェアに当該領域および当該セキュリティレベルを決定するための機能を持たせることができ、また、専用のアプリケーションソフトウェアで作成済みの文書を開いて領域を指定する方法をとることもできる。領域を指定する方法としては種々の方法があるが、例えばタグを挿入すること、制御コードを付すこと等が挙げられる。
【００６５】
また、定型の文書（例えば、図３のような契約書）および帳票等においては、多くの場合に隠蔽領域はほぼ決まっているため、当該文書または帳票ごとに領域とセキュリティレベルを定義し、当該文書（帳票）ファイル内に保存しておいても良いし、関連付けられた別ファイルとして保存しておいても良い。印刷時にこれらの領域情報を取得することで隠蔽処理を実施することができる。
【００６６】
第１〜４の実施の形態の配布物印刷装置は、ＣＰＵなどの制御装置と、ＲＯＭ（Ｒｅａｄ  Ｏｎｌｙ  Ｍｅｍｏｒｙ）やＲＡＭなどの記憶装置と、ＨＤＤ、ＣＤドライブ装置などの外部記憶装置と、ディスプレイ装置などの表示装置と、キーボードやマウスなどの入力装置を備えた通常のコンピュータのハードウェア構成を用いて実現することもできる。
【００６７】
また、第１〜４の実施の形態の配布物印刷装置で実行される配布物印刷方法は、配布物印刷プログラムとして、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供することもできる。
【００６８】
また、その配布物印刷プログラムを、インターネット等のネットワークに接続されたコンピュータ上に格納し、ネットワーク経由でダウンロードさせることにより提供するように構成しても良い。さらに、その配布物印刷プログラムをインターネット等のネットワーク経由で提供または配布するように構成しても良い。
【００６９】
また、第１〜４の実施の形態にかかる配布物印刷プログラムを、ＲＯＭ等に予め組み込んで提供するように構成してもよい。
【００７０】
第１〜４の実施の形態にかかる配布物印刷プログラムは、上述した各部（文書データ取得部、入力部、配布物テーブル取得部、隠蔽領域情報処理部、印刷データ生成部、印刷部等）を含むモジュール構成となっており、実際のハードウェアとしてはＣＰＵ（プロセッサ）が上記記憶媒体から配布物印刷プログラムを読み出して実行することにより上記各部が主記憶装置上にロードされ、文書データ取得部、入力部、配布物テーブル取得部、隠蔽領域情報処理部、印刷データ生成部、印刷部等が主記憶装置上に生成されるようになっている。
【００７１】
図１７は、第１〜４の実施の形態にかかる配布物印刷装置のハードウェア構成を示すブロック図である。本図に示すように、この配布物印刷装置は、コントローラ１０とエンジン部（Ｅｎｇｉｎｅ）６０とをＰＣＩ（Ｐｅｒｉｐｈｅｒａｌ  Ｃｏｍｐｏｎｅｎｔ  Ｉｎｔｅｒｃｏｎｎｅｃｔ）バスで接続した構成となる。コントローラ１０は、配布物印刷装置全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【００７２】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１６と、ハードディスクドライブ（ＨＤＤ）１８とを有し、ノースブリッジ（ＮＢ）１３とＡＳＩＣ１６との間をＡＧＰ（Ａｃｃｅｌｅｒａｔｅｄ  Ｇｒａｐｈｉｃｓ  Ｐｏｒｔ）バス１５で接続した構成となる。また、ＭＥＭ−Ｐ１２は、ＲＯＭ（Ｒｅａｄ  Ｏｎｌｙ  Ｍｅｍｏｒｙ）１２ａと、ＲＡＭ(Ｒａｎｄｏｍ  Ａｃｃｅｓｓ  Ｍｅｍｏｒｙ)１２ｂと、をさらに有する。
【００７３】
ＣＰＵ１１は、配布物印刷装置の全体制御をおこなうものであり、ＮＢ１３、ＭＥＭ−Ｐ１２およびＳＢ１４からなるチップセットを有し、このチップセットを介して他の機器と接続される。
【００７４】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【００７５】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【００７６】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【００７７】
ＡＳＩＣ１６は、画像処理用のハードウェア要素を有する画像処理用途向けのＩＣ（Ｉｎｔｅｇｒａｔｅｄ  Ｃｉｒｃｕｉｔ）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Ｄｉｒｅｃｔ  Ｍｅｍｏｒｙ  Ａｃｃｅｓｓ  Ｃｏｎｔｒｏｌｌｅｒ）と、エンジン部６０との間でＰＣＩバスを介したデータ転送をおこなうＰＣＩユニットとからなる。このＡＳＩＣ１６には、ＰＣＩバスを介してＦＣＵ（Ｆａｘ  Ｃｏｎｔｒｏｌ  Ｕｎｉｔ）３０、ＵＳＢ（Ｕｎｉｖｅｒｓａｌ  Ｓｅｒｉａｌ  Ｂｕｓ）４０、ＩＥＥＥ１３９４（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ  １３９４）インターフェース５０が接続される。操作表示部２０はＡＳＩＣ１６に直接接続されている。
【００７８】
ＭＥＭ−Ｃ１７は、コピー用画像バッファ、符号バッファとして用いるローカルメモリであり、ＨＤＤ（Ｈａｒｄ  Ｄｉｓｋ  Ｄｒｉｖｅ）１８は、画像データの蓄積、プログラムの蓄積、フォントデータの蓄積、フォームの蓄積を行うためのストレージである。
【００７９】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【００８０】
なお、本実施形態の配布物印刷装置で実行される配布物印刷プログラムは、ＲＯＭ等に予め組み込まれて提供される。
【００８１】
本実施形態の配布物印刷装置で実行される配布物印刷プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８２】
さらに、本実施形態の配布物印刷装置で実行される配布物印刷プログラムを、インターネット等のネットワークに接続されたコンピュータ上に格納し、ネットワーク経由でダウンロードさせることにより提供するように構成しても良い。また、本実施形態の配布物印刷装置で実行される配布物印刷プログラムをインターネット等のネットワーク経由で提供または配布するように構成しても良い。
【００８３】
本実施の形態の配布物印刷装置で実行される配布物印刷プログラムは、上述した各部（文書データ取得部、入力部、配布物テーブル取得部、隠蔽領域情報処理部、印刷データ生成部、印刷部等）を含むモジュール構成となっており、実際のハードウェアとしてはＣＰＵ（プロセッサ）が上記ＲＯＭから〜プログラムを読み出して実行することにより上記各部が主記憶装置上にロードされ、文書データ取得部、入力部、配布物テーブル取得部、隠蔽領域情報処理部、印刷データ生成部、印刷部等が主記憶装置上に生成されるようになっている。
【００８４】
以上、本発明を実施の形態を用いて説明したが、上記実施の形態に多様な変更または改良を加えることができる。
【図面の簡単な説明】
【００８５】
【図１】本発明の第１の実施の形態にかかる配布物印刷方法を実行する配布物印刷装置において、特徴的な処理を行う構成部分を示すブロック図である。
【図２】第１の実施の形態における配布物印刷方法に用いられる配布先テーブルを示す図である。
【図３】本発明における隠蔽領域の含まれる配布物印刷文書の一例を示す図である。
【図４】第１の実施の形態における配布物印刷方法の処理方法を示すフローチャートである。
【図５−１】印刷対象文書内の隠蔽対象領域を黒の矩形で上書きした例を示す図である。
【図５−２】印刷対象文書内の隠蔽対象領域を白の矩形で上書きした例を示す図である。
【図５−３】印刷対象文書内の隠蔽対象領域の文字列を置換した例を示す図である。
【図６】第２の実施の形態にかかる配布物印刷方法を実行する配布物印刷装置において、特徴的な処理を行う構成部分を示すブロック図である。
【図７】第２の実施の形態における配布物印刷方法で用いられる配布先テーブルを示す図である。
【図８】印刷文書中に設定された複数の領域の領域番号と、領域ごとに設定されたセキュリティレベルの例について示す図である。
【図９】第２の実施の形態による隠蔽対象領域のセキュリティレベルおよび配布先の権限レベルによって示す隠蔽可否判定のテーブルを示す図である。
【図１０】第２の実施の形態における配布物印刷方法を示すフローチャートである。
【図１１】図１０−１で示した配布物印刷方法の隠蔽処理及び印刷データ生成処理の具体的な処理を示すフローチャートである。
【図１２】第３の実施の形態にかかる配布物印刷方法を実行する配布物印刷装置において、特徴的な処理を行う構成部分を示すブロック図である。
【図１３】第３の実施の形態による配布物印刷方法の処理方法を示すフローチャートである。
【図１４】第４の実施の形態にかかる配布資料管理表の一例を示す図である。
【図１５】第４の実施の形態にかかる配布物印刷方法を実行する配布物印刷装置において、特徴的な処理を行う構成部分を示すブロック図である。
【図１６】第４の実施の形態による配布物印刷方法の処理方法を示すフローチャートである。
【図１７】本発明にかかる配布物印刷装置のハードウェア構成を示すブロック図である。
【符号の説明】
【００８６】
１０  コントローラ
１１  ＣＰＵ
１２  ＭＥＭ−Ｐ
１２ａ  ＲＯＭ
１２ｂ  ＲＡＭ
１３  ＮＢ
１４  ＳＢ
１５  ＡＧＰバス
１６  ＡＳＩＣ
１７  ＭＥＭ−Ｃ
１８  ＨＤＤ
３０  ＦＣＵ
４０  ＵＳＢ
４２  表示画面
５０  ＩＥＥＥ１３９４インターフェース
６０  エンジン部
１００，２００，３００，４００  配布物印刷装置
１０１，２０１，３０１，４０１  文書データ取得部
１０２，２０２，３０２，４０２  文書ＤＢ
１０３，２０３，３０３，４０３  入力部
１０４，２０４，３０４，４０４  配布先テーブル取得部
１０５，２０５，３０５，４０５  ユーザ情報ＤＢ
１０６，２０６，３０６，４０６  隠蔽領域情報処理部
２０７  判定部
３０８  配布元情報取得部
１０９，２０９，３０９，４０９  印刷データ生成部
１１０，２１０，３１０，４１０  印刷部
４１１  管理表データ生成部
【図１】
2010134653.tif 000003
【図２】
2010134653.tif 000004
【図３】
2010134653.tif 000005
【図４】
2010134653.tif 000006
【図５−１】
2010134653.tif 000007
【図５−２】
2010134653.tif 000008
【図５−３】
2010134653.tif 000009
【図６】
2010134653.tif 000010
【図７】
2010134653.tif 000011
【図８】
2010134653.tif 000012
【図９】
2010134653.tif 000013
【図１０】
2010134653.tif 000014
【図１１】
2010134653.tif 000015
【図１２】
2010134653.tif 000016
【図１３】
2010134653.tif 000017
【図１４】
2010134653.tif 000018
【図１５】
2010134653.tif 000019
【図１６】
2010134653.tif 000020
【図１７】
2010134653.tif 000021